(57)【要約】      （修正有）【課題】ゲームに必要なマージャンパイなどの立方体のブロックの混合、分配などを全自動で行う全自動ゲーム機を提供する。【解決手段】駆動モータにより磁性を具えた回転盤を動かし、回転盤上に振動緩衝桿を設け、回転盤の切線の位置にガィドを設けてなる混合手段と、駆動モータが主動チェーンを動かして主動タイヤを動かし、同軸上の従同タイヤに連結し、従動チェーンを動かし、従動チェーンが押し出し桿に連結し、押し出し桿が接続部に沿って移動する輸送手段と、分配推進部材により駆動モータにより動かされる分配回転盤に連結する分配手段と、駆動モータにより動かされるフック棒により、収集盤表面上の立方ブロックを収集し、収集盤表面の切り欠き口の下方に磁性を具えた回転盤を設けてなる収集手段とからなる。 【選択図】図１
0003127185.tif 000002
【実用新案登録請求の範囲】
【請求項１】
駆動モータにより磁性を具えた回転盤を動かし、回転盤上に振動緩衝桿を設け、回転盤の切線の位置にガイドを設けてなる混合手段と、
輸送ベルトを通して推進部材を経由してレールに接続し、該レールはコの字状を呈する構造からなり、底部に接部を具えてなり、駆動モータが主動チェーンを動かして主動タイヤを動かし、該主動タイヤが同軸上の従同タイヤに連結し、従動チェーンを動かし、従動チェーンがレールの真下に設けられ、適宜な位置に方向転換タイヤと張力タイヤとを設けてなり、従動チェーが押し出し桿に連結し、該押し出し桿が従動チェーンの動きを受けてレールの底部に設けられた接続部に沿って移動する輸送手段と、
分配推進部材により駆動モータにより動かされる分配回転盤に連結する分配手段と、駆動モータにより動かされるフック棒により、切り欠き口を具えた収集盤表面上の立方ブロックを収集し、収集盤表面の切り欠き口の下方に磁性を具えた回転盤を設けてなる収集手段とを含んでなり、立方ブロックが混合手段で均等に混ぜ合わされた後、輸送手段に送られ、その後分配手段へ輸送され、分配後の立方ブロックが収集手段により再度、混合手段に送られて一の動作が終了する構造からなることを特徴とする全自動ゲーム機。
【請求項２】
前記混合手段の振動緩衝桿が回転盤上に積み重なった立方ブロックを磁化し、面を翻すために便利なよぅに平らにする構造からなることを特徴とする請求項1に記載の全自動ゲーム機。
【請求項３】
前記輸送手段の推進部材が駆動モータと送り出し桿とを組み合わせてなり、駆動モータが出力する回転動力が送り出し桿に伝達されて、送り出し桿が往復の直線運動を行って、輸送ベルト上の立方ブロックがレールに送り出されることを特徴とする請求項1に記載の全自動ゲーム機。
【請求項４】
前記分配手段の分配推進部材が駆動モータ手段と推進桿とを組み合わせてなり、駆動モータ手段の駆動モータが出力する回転動力がクランプと接続桿により直線の動力に転換されて推進桿に伝達して往復の直線運動をするため、レール上の立方ブロックが分配回転盤に押し出される構造からなることを特徴とする請求項1に記載の全自動ゲーム機。
【請求項５】
前記回転及び往復して押し出す、引き寄せるなどの動作がプログラムを応用した電子回路に合わせてそれぞれ適宜な位置で最大限にスイッチで制御できることを特徴とする請求項1に記載の全自動ゲーム機。
【考案の詳細な説明】
【技術分野】
【０００１】
この考案は、全自動ゲーム機に関し、特にマージャンパイのような立方体のブロックを混ぜて、人数分に分配し、ゲーム終了後にはブロックを集める全自動ゲーム機に関する。
【背景技術】
【０００２】
従来のマージャン用ゲーム機などは殆ど、ゲームの参加者がマージャンパイを混ぜて、パイを人数分分配し、ゲーム終了後にはパイを集めなければならない。
【０００３】
マージャンパイを混ぜることや分配する場合、人の労力とコストが増加され、時にはグ―ムの参加者同士がパイを混合、分配する際に不正な方法を使用するなど公平さに欠ける問題が発生することもあり、ゲーム参加者の間に不信感が生れることがあった。
【考案の開示】
【考案が解決しようとする課題】
【０００４】
そこでこの考案は、ゲームに必要なマージャンパイなどの立方体のブロックを混ぜたり、分配する動作などを全自動で行うことができる全自動ゲーム機を提供することを課題とする。
【課題を解決するための手段】
【０００５】
そこで、本考案者は従来の技術に見られる欠点に鑑みて鋭意研究を重ねた結果、駆動モータにより磁性を具えた回転盤を動かし、回転盤上に振動緩衝桿を設け、回転盤の切線の位置にガイドを設けてなる混合手段と、輸送ベルトを通して推進部材を経由してレールに接続し、該レールはコの字状を呈する構造からなり、底部に接続部を具えてなり、駆動モータが主動チェーンを動かして主動タイヤを動かし、該主動タイヤが同軸上の従同タイヤに連結し、従動チェーンを動かし、従動チェーンがレールの真下に設けられ、適宜な位置に方向転換タイヤと張力タイヤとを設けてなり、従動チェーンが押し出し桿に連結し、該押し出し桿が従動チェーンの動きを受けてレールの底部に設けられた接続部に沿って移動する輸送手段と、分配推進部材により駆動モータにより動かされる分配回転盤に連結する分配手段と、駆動モータにより動かされるフック棒により、切り欠き口を具えた収集盤表面上の立方ブロックを収集し、収集盤表面の切り欠き口の下方に磁性を具えた回転盤を設けてなる収集手段とを含んでなり、立方ブロックが混合手段で均等に混ぜ合わされた後、輸送手段に送られ、その後分配手段へ輸送され、分配後の立方ブロックが収集手段により再度、混合手段に送られて一連の動作が終了する構造からなる全自動ゲーム機によって課題を解決できる点に着眼し、かかる知見に基づいて本考案を完成させた。
【０００６】
以下、この考案について具体的に説明する。
請求項1に記載の全自動ゲーム機は、駆動モータにより磁性を具えた回転盤を動かし、回転盤上に振動緩衝桿を設け、回転盤の切線の位置にガイドを設けてなる混合手段と、輸送ベルトを通して推進部材を経由してレールに接続し、該レールはコの字状を呈する構造からなり、底部に接続部を具えてなり、駆動モータが主動チェーンを動かして主動タイヤを動かし、該主動タイヤが同軸上の従同タイヤに連結し、従動チェーンを動かし、従動チェーンがレールの真下に設けられ、適宜な位置に方向転換タイヤと張力タイヤとを設けてなり、従動チェーンが押し出し桿に連結し、該押し出し桿が従動チェーンの動きを受けてレールの底部に設けられた接続部に沿って移動する輸送手段と、分配推進部材により駆動モータにより動かされる分配回転盤に連結する分配手段と、駆動モータにより動かされるフック棒により、切り欠き口を具えた収集盤表面上の立方ブロックを収集し、収
集盤表面の切り欠き口の下方に磁性を具えた回転盤を設けてなる収集手段とを含んでなり、立方ブロックが混合手段で均等に混ぜ合わされた後、輸送手段に送られ、その後分配手段へ輸送され、分配後の立方ブロックが収集手段により再度、混合手段に送られて一連の動作が終了する構造からなる。
【０００７】
請求項2に記載の全自動ゲーム機は、請求項1における混合手段の振動緩衝桿が回転盤上に積み重なった立方ブロックを磁化し、面を翻すために便利なように平らにする構造からなる。
【０００８】
請求項3に記載の全自動ゲーム機は、請求項1における輸送手段の推進部材が駆動モータと送り出し桿とを組み合わせてなり、駆動モータが出力する回転動力が送り出し桿に伝達されて、送り出し桿が往復の直線運動を行って、輸送べルト上の立方ブロックがレールに送り出される。
【０００９】
請求項4に記載の全自動ゲーム機は、請求項1における分配手段の分配推進部材が駆動モータ手段と推進桿とを組み合わせてなり、駆動モータ手段の駆動モータが出力する回転動力がクランプと接続桿により直線の動力に転換されて推進桿に伝達して往復の直線運動をするため、レール上の立方ブロックが分配回転盤に押し出される構造からなる。
【００１０】
請求項5に記載の全自動ゲーム機は、請求項1における回転及び往復して押し出す、引き寄せるなどの動作がプログラムを応用した電子回路に合わせてそれぞれ適宜な位置で最大限にスイッチで制御できる。
【考案の効果】
【００１１】
この考案による全自動ゲーム機は、ゲーム参加者の労力を節減し、ゲームの公正さを高めるといぅ効果を有する。
【考案を実施するための最良の形態】
【００１２】
この考案は、ゲームに必要なマージャンパイなどの立方体のブロックを混ぜたり、分配する動作などを全自動で行うことができる全自動ゲーム機であって、駆動モータにより磁性を具えた回転盤を動かし、回転盤上に振動緩衝桿を設け、回転盤の切線の位置にガイドを設けてなる混合手段と、輸送ベルトを通して推進部材を経由してレールに接続し、該レールはコの字状を呈する構造からなり、底部に接続部を具えてなり、駆動モータが主動チェーンを動かして主動タイヤを動かし、該主動タイヤが同軸上の従同タイヤに連結し、従動チェーンを動かし、
従動チェーンがレールの真下に設けられ、適宜な位置に方向転換タイヤと張力タイヤとを設けてなり、従動チェーンが押し出し桿に連結し、該押し出し桿が従動チェーンの動きを受けてレールの底部に設けられた接続部に沿って移動する輸送手段と、分配推進部材により駆動モータにより動かされる分配回転盤に連結する分配手段と、駆動モータにより動かされるフック棒により、切り欠き口を具えた収集盤表面上の立方ブロックを収集し、収集盤表面の切り欠き口の下方に磁性を具えた回転盤を設けてなる収集手段とを含んでなり、立方ブロックが混合手段で均等に混ぜ合わされた後、輸送手段に送られ、その後分配手段へ輸送され、分配後の立方ブロックが収集手段により再度、混合手段に送られて一連の動作が終了する構造と特徴を詳述するために具体的な実施例を挙げ、図示を参照にして以下に説明する。
【実施例】
【００１３】
図1は、この考案の平面図を示したものである。図面によれば、この考案は混合手段1と、輸送手段2と、分配手段3と、収集手段4などを含む4つの主要な部分から構成される。
【００１４】
該混合部1は磁性を具えた回転盤11から成る。
【００１５】
該輸送手段2は輸送ベルト2０を通して推進部材21を介してレール22に接続する。該レール22はコの字状の構造からなり、且つ底部に接続部221を具えてなる。駆動モータ211は主動手段24の主動チェーン241を介して主動タイヤ242を動かす。該主動タイヤ242は同軸上に設けられた従動手段25の従動タイヤ251に連結し、従動チェーン252を動かす。
【００１６】
該従動チェーン252はレール22の真下を通過する位置に設けられ、且つ適宜な位置に方向転換タイヤ26と張力タイヤ27とを設けてなる。また、従動チェーン252は押し出し桿28に連結する。該押し出し桿28は従動チェーン252の動きを受けて、レール22底部に設けられた接続部221に沿って移動する。
【００１７】
分配手段3は、回転するクランプ3012と、接続桿3013により送り出し桿302を動かして往復の直線運動を行う。よって、レール99上の立方ブロック5が分配回転盤31に進入する。
【００１８】
収集手段4は、回転する収集用のフック棒A1を切り欠き口491を具えた収集盤表面42上に回転させて収集盤表面49のパイを集め、収集盤表面49の切り欠き口491から下方の磁性を具えた回転盤11に落ちていく。
【００１９】
この考案は上述の手段を組み合わせてなる。該立方ブロック5は混合手段1により均等に混ぜ合せられた後、輸送手段2に送られ、該輸送手段2から分配手段3へ送られる。最後に分配された後の立方ブロック5が収集手段4で再び混合手段1に送られて、一連の動作が終了する。
【００２０】
以下簡単にこの考案の原理を説明する。
混合手段1の回転盤11は磁性を具えた立方ブロック5を具えてなり、磁極による反発と吸引の原理により立方ブロック5の模様が施された面が上方になるよぅに翻される。次に輸送手段2の輸送ベルト2０に送られて推進部材91に進入した後、レール99に送られる。その後、押し出し桿28により押し出されて立方ブロック5がレール99上を前進し、立方ブロック5がレール22の末端に達すると、分配手段3の送り出し桿302がクランプ3019と接続桿3013により立方ブロック5を連動して分配回転盤31上に立方ブロック5を押し出す。立方ブロック5を2つずつ押し出した後、分配回転盤31が90度回転する。該分配回転盤31上に4対の立方ブロック5が並ぶと、収集手段4の回転盤表面42に設けられたフック棒41が回転して分配回転盤31に達すると、フック棒41が動かなくなり、分配回転盤31が回転して4対の立方ブロック4がフック棒41内側に収納される。
【００２１】
その後、フック棒41が再び回転して4対の立方ブロック5を収集盤表面42上に集め、フック棒41が収集盤表面A9の元の位置に戻る。何度か同じ動作を繰り返して―定の数量 (通常8個)の立方ブロック5が累積すると、フック棒41が再び収集盤表面49上の立方ブロック5を収集盤表面42の切り欠き口421から収納して全ての立方ブロック5が回転盤11上に落とされる。
【００２２】
図2は、この考案の混合手段2の側面図を示したものである。前述の収集手段4が同じ動作を複数回繰り返して立方ブロ，ック5を収集し、立方ブロック5が一定の数量 (通常8個)累積されると、フック棒41が駆動モータ40により動かされて再び、収集盤表面42上にある立方ブロック5が収集盤表面42の切り欠き口421に収集され、全ての立方ブロック5が該切り欠き口42.1から回転盤11上に落ちる。
【００２３】
磁性を具えた回転盤11が駆動モータ1０が駆動して回転すると、振動緩衝桿12の弾性を利用して磁性で立方ブロック5の面を翻すときに便利なように回転盤11上に積み重なった立方ブロック5を平らにする。立方ブロック5が磁牲及び磁極の反発及び吸引の原理で正しい面に翻された後、回転盤11の切線方向上に設けられたガイド13に導かれて輸送ベルト20に送られる。
【００２４】
図3は、この考案の輸送手段の局部拡大平面図である。輸送手段2の推進部材21は駆動モータ211と送り出し桿919とを組み合わせてなり、駆動モータ211が出力する回転動力が送り出し桿212に伝達されて送り出し桿919が往復の直線運動を行うため、輸送べルト90上の立方ブロック5がレール22に送り出される。
【００２５】
図4は、この考案の輸送手段局部拡大断面図を示したものである。該レール22はコの字状を呈し、底部に半分開放された状態の接続部991を設けてなる。該接続部221は、従動チェーン252上の押し出し桿28を貫通して設けるために供する。該押し出し桿98は従動チェーン259に動かされ、コの字状の構造を具えたレール99に進入した立方ブロック5を安定した速度でレール22に沿って前方に送り出す。従動チェーン252の直角な湾曲部には方向転換タイヤ96で伝動する方向を変更する。
【００２６】
図5は、この考案の分配手段の平面図を示したものである。図面よれば、分配手段3は、分配推進部材30と、分配回転盤31と、駆動モータ39とを含んでなる。該分配推進部材30は駆動モータ手段301及び推進桿302とを組み合わせてなる。該駆動モータ手段301は動力源となる駆動モータ3011を含んでなり、クランプ3012と、接続桿3013とを回転させる。
【００２７】
該駆動モータ3011はクランプ3012と接続桿3013とを動かし、推進桿302に動力を伝動して推進桿302に直線の往復運動をさせる。よって、レール22の末端に立方ブロック5が達すると、推進桿302に押し出されて立方ブロック5が分配回転盤31に進入する。分配回転盤31に1対の立方ブロック5が挿入される度に分配回転盤31が90度回転する。同様の動作が複数回繰り返されて分配回転盤31上に4対の立方ブロック5が挿入されると、立方ブロック5を収集する動作に移行し、分配回転盤31の外周上に設けられた推進桿30に対向する他端の外周上にフック棒41、収集盤表面42、開口421が位置している。
【００２８】
クランプ3012、接続桿3013、推進桿302は連動し、クランプ滑動ブロックと同様であり、回転運動を直線運動に変更する目的を有する。
【００２９】
図6は、この考案の収集手段の作動する状熊を示したものである。図面によれば、分配手段3が立方ブロック5を分配する動作を繰り返して分配回転盤31上に4対の立方ブロック5が並ぶと、フック棒41が収集盤表面42の開口421の端縁部から時計回りに分配回転盤31の方向へ移動して停止する。分配回転盤31も時計回りに回転するため分配回転盤31上の4対の立方ブロック5がフック棒41の内側に収集される。
【００３０】
図7は、この考案の収集手段が立方ブロックを収集する動作を示したものである。図面によれば、フック棒41が再び時計回りに回転して立方ブロック5を収集し、フック棒41が分配回転盤31から収集盤表面42上へと移動する。しかしながら、フック棒41が開口421に対向する端縁部に位置するため、立方ブロック5は開口421とまだ適宜な距離を有する位置にある。
【００３１】
図8は、この考案の収集手段が立方ブロック5を押し出す動作を示したものである。図面よれば、収集手段4が繰り返し立方ブロック5を集める動作を繰り返し、収集盤表面42上が立方ブロック5でいっぱいになると、フック棒41が時計回りに回転し、立方ブロック5すべてを開口421に推し出して次の操作に移行する。
【００３２】
上述の説明によれば、この考案は全自動でゲーム用の立方体のブロックを混合し、分配するものであって、駆動モータ、伝動手段、プログラムで制御する電気回路などを合わせて構成し、ゲームを進行するために必要な正確さを達成する。また、様々なゲームの中ではマージヤンに応用することが最も適している。
【００３３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３４】
【図１】この考案のゲーム機を示した平面図である。
【図２】この考案のゲーム機の混合手段を示した断面図である。
【図３】この考案のゲーム機の輸送手段を示した局部拡大平面図である。
【図４】この考案のゲーム機の輸送手段を示した局部拡大余淋見図である。
【図５】この考案のゲーム機の分配手段を示した平面図である。
【図６】この考案のゲーム機の収集手段の動作を示した説明図である。
【図７】この考案のゲーム機の収集手段の動作を示した説明図である。
【図８】この考案のゲーム機の収集手段の動作を示した説明図である。
【符号の説明】
【００３５】
１        混合手段
１０      駆動モータ
１１      回転盤
１２      振動緩衝桿
１３      ガイド
２        輸送手段
２０      輸送ベルト
２１      推進部材
２１１    駆動モータ
２１２    送り出し桿
２２      レール
２２１    接続部
２３      駆動モータ
２４      主動手段
２４１    主動チェーン
２４２    主動タイヤ
２５      従動手段
２５１    従動タイヤ
２５２    従動チェーン
２６      方向転換タイヤ
２７      張力タイヤ
２８      押し出し桿
３        分配手段
３０      分配推進部材
３０１    駆動モータ手段
３０１１  駆動モータ
３０１２  クランプ
３０１３  接続桿
３０２    送り出し桿
３１      分配回転盤
３２      駆動モータ
４        収集手段
４０      駆動モータ
４１      フック棒
４２      収集盤表面
４２１    切り欠き口
５        立方ブロック
【図１】
0003127185.tif 000003
【図２】
0003127185.tif 000004
【図３】
0003127185.tif 000005
【図４】
0003127185.tif 000006
【図５】
0003127185.tif 000007
【図６】
0003127185.tif 000008
【図７】
0003127185.tif 000009
【図８】
0003127185.tif 000010